(57)【要約】【課題】堰などの障害物を内部に設けることなく、接着剤の接触が好ましくない部分への液垂れを防止することができる媒介管継手及びその施工方法を提供することを目的としている。【解決手段】管が接着剤を介して接着されて接続される第１接続部としての差口部１１を一端に有する第１部材１と、管が挿入によって管の内周面または外周面に水密材が密着して止水されるとともに、機械的に抜け止め状態にされる第２接続部としての管取付部２２を一端に有する第２部材２とを備え、第１部材１及び第２部材２の他端同士が、連結解除及び再連結可能に連結されるようにし、まず、第１部材１を第２部材２から分離した状態で、第１部材１の差口部１１を他の配管材の受口に接着接続するようにした。【選択図】      図１
2011112102.tif 000002
【特許請求の範囲】
【請求項１】
他の配管材と接着接続される差口部を一端に有する第１部材と、他の配管材がその管端部の挿入によって管端部の内周面または外周面に水密材が密着して止水されるとともに、機械的に抜け止め状態にされる管取付部を一端に有する第２部材とを備え、第１部材及び第２部材の他端同士が、連結解除及び再連結可能に連結されていることを特徴とする媒介管継手。
【請求項２】
第１部材が、他端に雄ねじ筒部を有するとともに、この雄ねじ筒部の基端側に周面の一部に外周方向に張り出す係止突部を備えたフランジを有し、
第２部材が、他端に前記雄ねじ筒部内に挿入される差口部を備えた第２部材本体を有するとともに、
前記第２部材本体に離脱不能、かつ、回転自在に装着され、前記第１部材の雄ねじ筒部に外側から螺合するとともに、ねじ込みにつれて前記フランジの壁面に沿いながら移動し、弾性変形しながら前記係止突部に乗り上げ、係止突部を乗り越えると、弾性復元し、係止突部に係止されてねじの弛む方向への回転を止める回り止め部を備えた袋ナットを有する請求項１に記載の媒介管継手。
【請求項３】
第１部材と第２部材との連結を解除した状態で、第１部材の差口部を他の配管材に接着接続したのち、第２部材を第１部材に連結する請求項１または請求項２に記載の媒介管継手の施工方法。
【発明の詳細な説明】
【技術分野】
【０００１】
本発明は、例えば、塩化ビニル樹脂製の上水管と建物内の架橋ポリエチレン管やポリブテン管などの異種管との接続に用いられる媒介管継手及びその施工方法に関する。
【背景技術】
【０００２】
水道本管から敷地内への引き込み管としては、塩化ビニル樹脂管が一般的であるが、家屋内の給水給湯配管は、耐衝撃性など強度的に優れ、可撓性を有し施工性にも優れ、保温・保冷性に優れているとともに、脱塩素系材料であることから架橋ポリエチレン管やポリブテン管等のポリオレフィン系樹脂管を使用することが多くなっている。
そこで、接着で接続可能な塩化ビニル樹脂管と、接着では接続不可能な架橋ポリエチレン管やポリブテン管などの異種の配管材を接続する管継手として、図６に示すような媒介管継手１００が既に提案されている（特許文献１）。
【０００３】
この媒介管継手１００は、管状の継手本体１１０の一端に第１接続部１２０が設けられ、他端に第２接続部１３０が設けられている。
第１接続部１２０は、受口形状をしていて、塩化ビニル樹脂管などの一方の管２１０が接着剤を介して接続されるようになっている。
第２接続部１３０は、抜け止めリング１３１とＯリング１３２が収容され、架橋ポリエチレン管やポリブテン管などの他方の管２２０が内部に挿入されることによって、抜け止めリング１３１によって管２２０の抜けが防止されるとともに、漏水がないようにＯリング１３２によって止水が図られるようになっている。
【０００４】
また、継手本体１１０は、第１接続部１２０奥側で、かつ、Ｏリング１３２よりも第１接続部１２０側に、第１接続部１２０側に向かって開口する凹溝を形成する堰１４０が環状に設けられている。
すなわち、液垂れした接着剤がＯリング１３２に付着して、接着剤が乾いたときに異物となって残ると、Ｏリング１３２の止水性能を損なうことがあるが、Ｏリング１３２よりも第１接続部１２０側に堰１４０が設けられているので、管２１０の接着時に用いられる接着剤が液垂れを起こして媒介管継手１００内に入り込んでもこの堰１４０によって遮られ、Ｏリング１３２に接着剤が付着することを防止できる。
また、継手の一部に溶剤に弱い材質のものが用いられている場合には、液垂れを起こした接着剤が溶剤に弱い部分まで達して、継手本体１１０にひび割れ等の劣化が起き易くなるという問題もあるが、上記堰１４０によってこのような劣化も防止することができる。
【先行技術文献】
【特許文献】
【０００５】
【特許文献１】特許第４２１００７５号公報
【発明の概要】
【発明が解決しようとする課題】
【０００６】
しかし、上記のように堰１４０を設けた場合、堰１４０がある程度大きなものでないと、Ｏリング１３２側へ接着剤の液垂れ防止効果が十分でない。一方、堰１４０が大きくなると、配管内を流れる流体の流れを阻害するおそれがあるとともに、流体内を流れる不純物がこの堰１４０の部分で溜まり、配管詰りの原因になったり、堰１４０の部分で雑菌等が繁殖し、流体を汚染したりするおそれがある。
【０００７】
本発明は、上記事情に鑑みて、堰などの障害物を内部に設けることなく、接着剤の接触が好ましくない部分への液垂れを防止することができる媒介管継手及びその施工方法を提供することを目的としている。
【課題を解決するための手段】
【０００８】
上記目的を達成するために、本発明にかかる媒介管継手は、他の配管材と接着接続される差口部を一端に有する第１部材と、他の配管材がその管端部の挿入によって管端部の内周面または外周面に水密材が密着して止水されるとともに、機械的に抜け止め状態にされる管取付部を一端に有する第２部材とを備え、第１部材及び第２部材の他端同士が、連結解除及び再連結可能に連結されていることを特徴としている。
【０００９】
本発明において、挿入された管が機械的に抜け止め状態にする方法とは、特に限定されないが、例えば、継手のノズル状の内筒部を管に挿入し、管の外側から締め付けリングの弾性力によって締め付けて抜け止め状態する方法、継手内に挿入された管の表面に継手内に設けられた抜け止めリングの一部を食い込ませることによって抜け止め状態にする方法などが挙げられ、これらを組み合わせてもよい。
【００１０】
さらに、上記のような構成の媒介管継手としては、特に限定されないが、例えば、第１部材が、他端に雄ねじ筒部を有するとともに、この雄ねじ筒部の基端側に周面の一部に外周方向に張り出す係止突部を備えたフランジを有し、第２部材が、他端に前記雄ねじ筒部内に挿入される差口部を備えた第２部材本体を有するとともに、前記第２部材本体に離脱不能、かつ、回転自在に装着され、前記第１部材の雄ねじ筒部に外側から螺合するとともに、ねじ込みにつれて前記フランジの壁面に沿いながら移動し、弾性変形しながら前記係止突部に乗り上げ、係止突部を乗り越えると、弾性復元し、係止突部に係止されてねじの弛む方向への回転を止める回り止め部を備えた袋ナットを有するような構造とすることが好ましい。
【００１１】
また、第１部材は、第１接続部が、接着剤によって管と接着固定できる材料で形成されていれば、特に限定されないが、全体が塩化ビニル樹脂で形成されていることが好ましい。
第２部材は、特に限定されないが、軽量化を図る意味でほぼ全体が合成樹脂で形成されていることが好ましい。
【００１２】
ちなみに、上記第２部材本体用の樹脂としては、例えば、給水用などの使用温度が低い場合、ポリ塩化ビニル、ポリブデン、架橋ポリエチレン、ポリエチレンなどでもよいが、給湯などの使用温度が高い場合には、エンジニアリングプラスチック、例えば、ポリアセタール、ポリエーテルサルフォン、ポリフェニレンスルフィド、ポリサルフォン、ポリフェニルサルフォンなどが好ましい。
上記第２部材本体の管挿入部の構造は、特に限定されないが、例えば、接続される管を管挿入部に挿入するだけで、締め付けリングを拡径状態にした拡径片が飛んで、締め付けリングが弾性収縮して管を管内に挿通されたノズル状の内筒との間で締め付けて抜け止め及び止水を図るようにした公知のワンタッチ接続構造（例えば、積水化学工業社製商品名エスロカチットの構造、特開2001-295974号公報に記載の構造）が挙げられる。
【００１３】
一方、上記袋ナットは、合成樹脂製のものを用いることが好ましい。袋ナットを構成する合成樹脂としては、給湯用など、高温となる場合には、架橋ポリエチレンや、ポリアセタール、ポリエーテルサルフォン、ポリフェニレンスルフィド、ポリサルフォン、ポリフェニルサルフォンなどのエンジニアリングプラスチックを用いることが望ましい。一方、給水用など、温度が高くない場合には、塩化ビニル、ポリブデン、ポリエチレンなどの汎用樹脂を採用することができる。
【発明の効果】
【００１４】
本発明にかかる媒介管継手は、他の配管材と接着接続される差口部を一端に有する第１部材と、他の配管材がその管端部の挿入によって管端部の内周面または外周面に水密材が密着して止水されるとともに、機械的に抜け止め状態にされる管取付部を一端に有する第２部材とを備え、第１部材及び第２部材の他端同士が、連結解除及び再連結可能に連結されているので、接着によって接続される側の一方の他の配管材の先端を受口としておけば、第１接続部の先端部外周面に接着剤を塗布したのち、第１接続部の先端部を受口に差し込むことで他の配管材と媒介管継手とが接着固定される。すなわち、接着剤塗布時に第１接続部内に接着剤が液垂れによって流れ込むことがない。結果として、流れの邪魔になる堰などを内部に設けなくてもよくなる。
【００１５】
しかも、第１部材と、第２接続部とが、連結解除及び再連結可能に連結されているので、第１接続部と配管との接着固定の際には、第１部材と第２部材との連結を解除しておき、まず、第１部材を接着側の配管に接着固定しておき、その後、第２部材を再び第１部材と連結させる施工方法を採用することができる。
すなわち、このような施工方法を用いることによって、接着剤の接触が好ましくない部分への液垂れや、接着剤中に含まれる有機溶剤の影響を確実に防止することができる。
【図面の簡単な説明】
【００１６】
【図１】本発明にかかる媒介管継手の１つの実施の形態をあらわす半断面図である。
【図２】図１の媒介管継手の第１部材の正面図である。
【図３】図２の第１部材のＸ方向矢視図である。
【図４】図１の媒介管継手の第2部材の正面図である。
【図５】第１部材と接続される配管との接続方法を説明する半断面図である。
【図６】公知の媒介管継手を説明する半断面図である。
【発明を実施するための形態】
【００１７】
以下に、本発明を、その実施の形態をあらわす図面を参照しつつ詳しく説明する。
図１は、本発明にかかる媒介管継手の１つの実施の形態をあらわしている。
【００１８】
図１に示すように、この媒介管継手Ａは、第１部材１と第２部材２とを備えている。
第１部材１は、塩化ビニル樹脂を射出成形することによって形成されていて、図１〜図３に示すように、一端に第１接続部となる差口部１１を備え、他端に差口部１１より大径になった雄ねじ筒部１２及びフランジ１３を備えている。
【００１９】
雄ねじ筒部１２は、図２及び図３に示すように、始端が１８０度ずれたそれぞれ略１ピッチずつの2本の螺旋突条１２ａからなる2条ねじ構造になっていて、後述する第２部材２の袋ナット２ｂの袋ナット本体部２６が螺合するようになっている。
フランジ１３は、図３に示すように、楕円形をしたフランジ本体部１３ａと、対称位置に設けられた２つの係止突部１３ｂとを備えている。
また、第１部材１は、雄ねじ筒部１２側でその内径が拡径している。
【００２０】
係止突部１３ｂは、それぞれフランジ本体部１３ａの楕円の長軸から略４５度ずれた位置に係止面を有し、この係止面の先端から雄ねじ筒部１２のねじの締め込み方向と逆側に徐々にフランジ本体部１３ａに近づき終端でフランジ本体部１３ａに面一となるように設けられたテーパ面を備えている。すなわち、係止突部１３ｂは、フランジ本体部１３ａの外周方向に張り出し、ねじの締め込み方向に向かって徐々にフランジ本体部１３ａからの高さが高くなっている。
一方、第２部材２は、図１及び図４に示すように、第２部材本体２ａと袋ナット２ｂとを備えている。
【００２１】
第２部材本体２ａは、一端に差口部２１、他端に第２接続部となる管取付部２２を備えている。
差口部２１は、上記雄ねじ筒部１２内に挿入されるようになっていて、周囲にＯリング２１ａが嵌められている。
管取付部２２は、差口部２１に連通するとともに、管取付部２２に接続される架橋ポリエチレン管などの管の端部に挿入されるノズル状をした内筒部２２ａと、この内筒部２２ａの間に筒状をした管の挿入空間を形成する外筒部２２ｂとを備えている。
【００２２】
内筒部２２ａの周囲には、図１に示すように、管取付部２２内に挿入された管の内壁面に水密に密着するＯリング２２ｃが嵌め込まれている。
また、外筒部２２ｂの内側には、図１に示すように、締め付けリング２３と、拡径片２４と、抜け止めリング２５とが収容されている。
【００２３】
締め付けリング２３は、一部が切り離されたリング状をしていて、管挿入前には、拡径片２４が切断面間に挿入されて、管の外径より内径が拡径しているが、管挿入により拡径片２４が管端で押されて除去されると、弾性力によって縮径して管壁を内筒部２２ａ側に締め付けてＯリング２２ｃにより止水されるようになっている。
【００２４】
抜け止めリング２５は、挿入された管に抜け方向の力が加わったときに、管の外壁面に食い込んで管の抜けを防止するようになっている。
すなわち、管取付部２２は、管を所定位置（拡径片２４が除去される位置）まで挿入されると締め付けリング２３と抜け止めリング２５との働きによって、ワンタッチで管を水密に、かつしっかりと接続できるようになっている。
【００２５】
袋ナット２ｂは、図４に示すように、袋ナット本体部２６と、２つの回り止め部２７とを備えている。
袋ナット本体部２６は、図１及び図２に示すように、雄ねじ筒部１２に螺合するように内周面に２条ねじが形成されていて、その開口端が差口部２１の先端を向くように第２部材本体２ａに離脱不能に、かつ、回転自在に装着されている。
【００２６】
２つの回り止め部２７は、袋ナット本体部２６の中心軸を対称中心として点対称に設けられていて、可動部２７ａと、延出部２７ｂとを備えている。
【００２７】
可動部２７ａは、袋ナット本体部２６の外周面より少し大径の内径をした円弧状をしていて、一端が袋ナット本体部２６の壁面に袋ナット本体部２６の外壁面と同心円状になるように固定されている。また、可動部２７ａは、無負荷状態では、袋ナット本体部２６の外壁面との間にほぼ均等な幅の隙間が形成されるとともに、袋ナット本体部２６の半径方向に指などで力を受けると固定部を中心に力の加わった方向に弾性変形するようになっている。
延出部２７ｂは、可動部２７ａの開放端から袋ナット本体部２６の中心軸に平行かつ袋ナット本体部２６の端縁から外側に延出するように設けられている。
【００２８】
そして、第１部材１と第２部材２との連結にあたっては、第２部材２の差口部２１を雄ねじ筒部１２内に挿入したのち、袋ナット２ｂを手で回転させて袋ナット本体部２６を雄ねじ筒部１２にねじ込んでいく。
このねじ込みに伴って、差口部２１が雄ねじ筒部１２の内部に向かって進入して行く。また、袋ナット本体部２６が略９０度程度回転するまでねじ込まれたとき、延出部２７ｂが、フランジ本体部１３ａの楕円の短軸付近でフランジ本体部１３ａの雄ねじ筒部１２側の端縁と延出部２７ｂの先端縁と略一致する位置までフランジ１３方向に移動する。
延出部２７ｂは、さらに袋ナット２ｂをねじ込んでいくと、まず、係止突部１３ｂのテーパ面に受けられ、ねじ込みの進行に伴って、可動部２７aの弾性変形によりテーパ面に沿ってフランジ１３の半径方向外側に徐々に移動する。
【００２９】
そして、袋ナット本体部２６が略１８０度回転するまでねじ込まれると、延出部２７ｂが係止突部１３ｂを乗り越え、可動部２７aの弾性復元力によって回り止め部２７が袋ナット本体部２６の外周面に沿う元の形状に復元する。したがって、袋ナット２ｂが、ねじの緩む方向に回転しようとしても、延出部３２ｂが係止突部１３ｂの係止面に当接し、緩み方向の回り止めがなされる。
また、同時に袋ナット本体部２６の端面がフランジ１３に受けられ、それ以上のねじ込みができなくなる。
【００３０】
この媒介管継手Ａは、上記のように、接着される第１接続部１１が差口構造になっているので、図５に示すように、接着によって接続される側の一方の配管Ｐの先端を受口としておけば、第１接続部１１の先端部外周面に接着剤を塗布したのち、第１接続部１１の先端部を受口に差し込むことで配管Ｐと媒介管継手Ａとが接着固定される。すなわち、接着剤塗布時に第１接続部１１内に接着剤が液垂れによって流れ込むことがない。結果として、流れの邪魔になる堰などを内部に設けなくてもよくなる。
【００３１】
また、第１部材１と第２部材２とが手動で簡単に連結解除及び再連結できるので、第１接続部１１を配管に接着接続する場合には、図５に示すように、第１部材１と第２部材２との連結を解除し、先に第１部材１のみを配管Ｐに上記と同様にして接着固定し、その後、再び第１部材１と第２部材２とを連結する施工方法が採用できる。すなわち、接着剤の影響が第２部材２側へ全く及ばないようにすることできるため、より信頼性の高いものとすることができる。
しかも、第１部材１と第２部材２とが手動で簡単に連結解除できるので、例えば、屋外配管あるいは屋内配管を取り替える必要が生じた場合、第１部材１と第２部材２との連結を解除し、屋外配管と接続された第１部材１（あるいは屋内配管と接続された第２部材２）のみを交換するだけでよいので、経済的である。
【００３２】
また、この媒介管継手Ａは、第１部材１と第２部材２とがねじ結合によって接続することができるとともに、回り止め部２７によって、ねじの緩みを確実に防止でき、かつ、必要に応じて破損することなく、第１部材１と第２部材２との連結を手動で容易に解除することができる。
【００３３】
本発明は、上記の実施の形態に限定されない。例えば、上記の実施の形態では、第２接続部がワンタッチ接続構造となっていたが、袋ナットを締め付けてＣリングを縮径させて管の抜けを防止するような構造でも構わない。
また、上記の実施の形態では、内筒部が機械的に抜け止め状態とされる管の内側に嵌合するようになっていたが、しっかり止水でき、抜け止め状態となるのであれば、図６に示す媒介管継手のように内筒部の無い構造でも構わない。
【産業上の利用可能性】
【００３４】
本発明の媒介管継手は、特に限定されないが、例えば、水道本管からの建物敷地内への引き込み管としての塩化ビニル樹脂管と、建物内の給水・給湯用管としての架橋ポリエチレン管やポリブテン管との接続に用いられる。
【符号の説明】
【００３５】
Ａ  媒介管継手
１  第１部材
１１  差口部
１２  雄ねじ筒部
１３  フランジ
１３ａ  フランジ本体部
１３ｂ  係止突部
２  第２部材
２ａ  第２部材本体
２ｂ  袋ナット
２１  差口部
２２  管取付部
２２ｃ  Ｏリング（水密材）
２６  袋ナット本体部
２７  回り止め部
２７ａ  可動部
２７ｂ  延出部
【図１】
2011112102.tif 000003
【図２】
2011112102.tif 000004
【図３】
2011112102.tif 000005
【図４】
2011112102.tif 000006
【図５】
2011112102.tif 000007
【図６】
2011112102.tif 000008